(57)【要約】【課題】  住宅内でコンテンツを送受信するシステムを提供する。【解決手段】  第１方式によって暗号化された圧縮コンテンツを復号化することによって、暗号化前の圧縮コンテンツに復元するステップと、復元された圧縮コンテンツを第２方式によって暗号化するステップと、所定のリンクを経由して暗号化された圧縮コンテンツを伝送するステップと、を含むコンテンツサービス方法である。これにより、住宅内のコンテンツサーバ装置でのエンコーディング過程なしにコンテンツの暗号化及び復号化を完壁に支援できる。【選択図】  図３
2006067575.tif 000002
【特許請求の範囲】
【請求項１】
（ａ）第１方式によって暗号化された圧縮コンテンツを復号化することによって、暗号化前の圧縮コンテンツに復元するステップと、
（ｂ）前記復元された圧縮コンテンツを第２方式によって暗号化するステップと、
（ｃ）所定のリンクを経由して前記暗号化された圧縮コンテンツを伝送するステップと、
を含むことを特徴とするコンテンツサービス方法。
【請求項２】
前記（ｃ）ステップは、前記コンテンツを再生しようとする少なくとも一つ以上の装置に伝送することを特徴とする請求項１に記載のコンテンツサービス方法。
【請求項３】
前記第１方式は、前記暗号化された圧縮コンテンツを提供するコンテンツ提供者によって適用されたコンテンツ保護方式であり、前記第２方式は、前記所定のリンクを保護するために適用されたコンテンツ保護方式であることを特徴とする請求項１に記載のコンテンツサービス方法。
【請求項４】
第１方式によって暗号化された圧縮コンテンツを復号化することによって、暗号化前の圧縮コンテンツに復元する復号化部と、
前記復号化部により復元された圧縮コンテンツを第２方式によって暗号化する暗号化部と、
所定のリンクを経由して前記暗号化部により暗号化された圧縮コンテンツを伝送する伝送部と、
を備えることを特徴とするサーバ。
【請求項５】
第１方式によって暗号化された圧縮コンテンツを復号化することによって、暗号化前の圧縮コンテンツに復元するステップと、
前記復元された圧縮コンテンツを第２方式によって暗号化するステップと、
所定のリンクを経由して前記暗号化された圧縮コンテンツを伝送するステップと、
を含むことを特徴とするコンテンツサービス方法をコンピュータで実行させるためのプログラムを記録したコンピュータで読み取り可能な記録媒体。
【請求項６】
（ａ）所定のリンクを経由して暗号化された圧縮コンテンツを受信するステップと、
（ｂ）前記受信された暗号化された圧縮コンテンツを復号化することによって、暗号化前の圧縮コンテンツに復元するステップと、
（ｃ）前記復元された圧縮コンテンツをデコーディングすることによって、圧縮前のコンテンツに復元するステップと、
（ｄ）前記復元されたコンテンツをユーザに出力するステップと、
を含むことを特徴とするコンテンツ出力方法。
【請求項７】
前記（ｂ）ステップは、前記所定のリンクを保護するために適用されたコンテンツ保護方式によって復号化することを特徴とする請求項６に記載のコンテンツ出力方法。
【請求項８】
所定のリンクを経由して暗号化された圧縮コンテンツを受信する受信部と、
前記受信部に受信された暗号化された圧縮コンテンツを復号化することによって、暗号化前の圧縮コンテンツに復元する復号化部と、
前記復号化部により復元された圧縮コンテンツをデコーディングすることによって、圧縮前のコンテンツに復元するデコーダと、
前記デコーダにより復元されたコンテンツをユーザに出力する出力部と、
を備えることを特徴とするコンテンツ出力装置。
【請求項９】
所定のリンクを経由して暗号化された圧縮コンテンツを受信するステップと、
前記受信された暗号化された圧縮コンテンツを復号化することによって、暗号化前の圧縮コンテンツに復元するステップと、
前記復元された圧縮コンテンツをデコーディングすることによって、圧縮前のコンテンツに復元するステップと、
前記復元されたコンテンツをユーザに出力するステップと、
を含むことを特徴とするコンテンツ出力方法をコンピュータで実行させるためのプログラムを記録したコンピュータで読み取り可能な記録媒体。
【請求項１０】
（ａ）第１リンクを経由して暗号化された圧縮コンテンツを受信するステップと、
（ｂ）前記（ａ）ステップで受信された暗号化された圧縮コンテンツを復号化することによって、暗号化前の圧縮コンテンツに復元するステップと、
（ｃ）前記復元された圧縮コンテンツをデコーディングすることによって、圧縮前のコンテンツに復元するステップと、
（ｄ）前記復元されたコンテンツを暗号化するステップと、
（ｅ）第２リンクを経由して、前記（ｄ）ステップで暗号化されたコンテンツを伝送するステップと、
を含むことを特徴とするコンテンツ中継方法。
【請求項１１】
前記（ｂ）ステップは、前記第１リンクを保護するために適用されたコンテンツ保護方式によって復号化し、
前記（ｄ）ステップは、前記第２リンクを保護するために適用されたコンテンツ保護方式によって暗号化することを特徴とする請求項１０に記載のコンテンツ中継方法。
【請求項１２】
（ａ）所定のリンクを経由して暗号化されたコンテンツを受信するステップと、
（ｂ）前記受信された暗号化されたコンテンツを復号化することによって、暗号化前のコンテンツに復元するステップと、
（ｃ）前記復元されたコンテンツをユーザに出力するステップと、
を含むことを特徴とするコンテンツ出力方法。
【請求項１３】
前記（ｂ）ステップは、前記所定のリンクを保護するために適用されたコンテンツ保護方式によって復号化することを特徴とする請求項１２に記載のコンテンツ出力方法。
【請求項１４】
（ａ）第１方式によって暗号化された圧縮コンテンツを第２方式によって二重暗号化するステップと、
（ｂ）所定の経路を経由して前記二重暗号化された圧縮コンテンツを伝送するステップと、
を含むことを特徴とするコンテンツサービス方法。
【請求項１５】
前記（ｂ）ステップは、前記コンテンツを再生しようとする少なくとも一つ以上の装置に伝送することを特徴とする請求項１４に記載のコンテンツサービス方法。
【請求項１６】
前記第１方式は、前記暗号化された圧縮コンテンツを提供するコンテンツ提供者によって適用されたコンテンツ保護方式であり、
前記第２方式は、前記所定のリンクを保護するために適用されたコンテンツ保護方式であることを特徴とする請求項１４に記載のコンテンツサービス方法。
【請求項１７】
前記第１方式によって暗号化された圧縮コンテンツについての復号化キーを生成するのに必要な情報を、前記第１方式によって暗号化された圧縮コンテンツを含むデータから抽出するステップをさらに含み、
前記（ａ）ステップは、前記第１方式によって暗号化された圧縮コンテンツ及び前記キー情報抽出部によって、抽出された情報を暗号化することを特徴とする請求項１４に記載のコンテンツサービス方法。
【請求項１８】
前記（ａ）ステップは、前記二重暗号化された圧縮コンテンツを受信する装置を認証し、前記認証の結果に基づいて暗号化することを特徴とする請求項１４に記載のコンテンツサービス方法。
【請求項１９】
第１方式によって暗号化された圧縮コンテンツを第２方式によって二重暗号化する暗号化部と、
所定の経路を経由して前記暗号化部によって二重暗号化された圧縮コンテンツを伝送する伝送部と、
を備えることを特徴とするサーバ。
【請求項２０】
第１方式によって暗号化された圧縮コンテンツを第２方式によって二重暗号化するステップと、
所定の経路を経由して前記二重暗号化された圧縮コンテンツを伝送するステップと、
を含むことを特徴とするコンテンツサービス方法をコンピュータで実行させるためのプログラムを記録したコンピュータで読み取り可能な記録媒体。
【請求項２１】
（ａ）所定のリンクを経由して二重暗号化された圧縮コンテンツを受信するステップと、
（ｂ）前記受信された二重暗号化された圧縮コンテンツを第１方式によって復号化することによって、二重暗号化前の暗号化された圧縮コンテンツに復元するステップと、
（ｃ）前記復元された暗号化された圧縮コンテンツを第２方式によって復号化することによって、暗号化前の圧縮コンテンツに復元するステップと、
（ｄ）前記復元された圧縮コンテンツをデコーディングすることによって、圧縮前のコンテンツに復元するステップと、
（ｅ）前記復元されたコンテンツをユーザに出力するステップと、
を含むことを特徴とするコンテンツ出力方法。
【請求項２２】
前記第１方式は、前記所定のリンクを保護するために適用されたコンテンツ保護方式であり、
前記第２方式は、前記暗号化された圧縮コンテンツを提供するコンテンツ提供者によって適用されたコンテンツ保護方式であることを特徴とする請求項２１に記載のコンテンツ出力方法。
【請求項２３】
前記（ａ）ステップは、前記（ｃ）ステップでの復号化に必要な暗号化された情報を受信し、
前記（ｂ）ステップは、前記受信された暗号化された情報を復号化することによって前記情報に復元し、
前記（ｃ）ステップは、前記第１復号化部によって復元された情報に基づいて復号化する
ことを特徴とする請求項２１に記載のコンテンツ出力方法。
【請求項２４】
所定のリンクを経由して二重暗号化された圧縮コンテンツを受信する受信部と、
前記受信部に受信された二重暗号化された圧縮コンテンツを第１方式によって復号化することによって、二重暗号化前の暗号化された圧縮コンテンツに復元する第１復号化部と、
前記第１復号化部により復元された暗号化された圧縮コンテンツを第２方式によって復号化することによって、暗号化前の圧縮コンテンツに復元する第２復号化部と、
前記第２復号化部により復元された圧縮コンテンツをデコーディングすることによって、圧縮前のコンテンツに復元するデコーダと、
前記デコーダにより復元されたコンテンツをユーザに出力する出力部と、
を備えることを特徴とするコンテンツ出力装置。
【請求項２５】
所定のリンクを経由して二重暗号化された圧縮コンテンツを受信するステップと、
前記受信された二重暗号化された圧縮コンテンツを第１方式によって復号化することによって、二重暗号化前の暗号化された圧縮コンテンツに復元するステップと、
前記復元された暗号化された圧縮コンテンツを第２方式によって復号化することによって、暗号化前の圧縮コンテンツに復元するステップと、
前記復元された圧縮コンテンツをデコーディングすることによって圧縮前のコンテンツに復元するステップと、
前記復元されたコンテンツをユーザに出力するステップと、
を含むことを特徴とするコンテンツ出力方法をコンピュータで実行させるためのプログラムを記録したコンピュータで読み取り可能な記録媒体。
【請求項２６】
（ａ）第１リンクを経由して二重暗号化された圧縮コンテンツを受信するステップと、
（ｂ）前記受信された二重暗号化された圧縮コンテンツを第１方式によって復号化することによって、二重暗号化前の暗号化された圧縮コンテンツに復元するステップと、
（ｃ）前記復元された暗号化された圧縮コンテンツを第２方式によって復号化することによって、暗号化前の圧縮コンテンツに復元するステップと、
（ｄ）前記復元された圧縮コンテンツをデコーディングすることによって、圧縮前のコンテンツに復元するステップと、
（ｅ）前記復元されたコンテンツを暗号化するステップと、
（ｆ）第２リンクを経由して、前記（ｅ）ステップで暗号化されたコンテンツを伝送するステップと、
を含むことを特徴とするコンテンツ中継方法。
【請求項２７】
前記（ｂ）ステップは、前記第１リンクを保護するために適用されたコンテンツ保護方式によって復号化し、
前記（ｅ）ステップは、前記第２リンクを保護するために適用されたコンテンツ保護方式によって暗号化することを特徴とする請求項２６に記載のコンテンツ中継方法。
【請求項２８】
前記第１方式は、前記所定のリンクを保護するために適用されたコンテンツ保護方式であり、
前記第２方式は、前記暗号化された圧縮コンテンツを提供するコンテンツ提供者により適用されたコンテンツ保護方式であることを特徴とする請求項２６に記載のコンテンツ中継方法。
【請求項２９】
前記（ａ）ステップは、前記第２復号化部での復号化に必要な暗号化された情報を受信し、
前記（ｂ）ステップは、前記受信された暗号化された情報を復号化することによって前記情報に復元し、
前記（ｃ）ステップは、前記復元された情報に基づいて復号化することを特徴とする請求項２６に記載のコンテンツ中継方法。
【発明の詳細な説明】
【技術分野】
【０００１】
本発明は、住宅内（家庭内）でコンテンツを送受信するシステムに係り、さらに詳細には、コンテンツを保護する装置及び方法に関する。
【背景技術】
【０００２】
図１は、従来の第１のコンテンツ送受信システムを示す構成図である。
【０００３】
図１を参照すれば、従来の第１のコンテンツ送受信システムは、ＤＶＤ（Ｄｉｇｉｔａｌ Ｖｉｄｅｏ Ｄｉｓｋ）再生装置１１、ＤＴＶ（Ｄｉｇｉｔａｌ ＴｅｌｅＶｉｓｉｏｎ）１２、及びＩＥＥＥ（Ｉｎｓｔｉｔｕｔｅ ｏｆ Ｅｌｅｃｔｒｉｃａｌａｎｄ Ｅｌｅｃｔｒｏｎｉｃｓ Ｅｎｇｉｎｅｅｒｓ）１３９４バス１３で構成される。
【０００４】
ＤＶＤ再生装置１１は、受信部１１１、デマルチプレクサ（ＤＥＭＵＸ：ＤｅＭｕｌｔｉｐｌｅｘｅｒ）１１２、ビデオデコーダ１１３、サブピクチャーデコーダ１１４、ミキサ１１５、ビデオエンコーダ１１６、マルチプレクサ（ＭＵＸ）１１７、及び伝送部１１８で構成される。
【０００５】
受信部１１１は、ＤＶＤに記録されたデータを読み出すことによって圧縮コンテンツを受信する。ＤＥＭＵＸ １１２は、受信部１１１に受信された圧縮コンテンツを圧縮ビデオコンテンツ、圧縮サブピクチャーコンテンツ、及び圧縮オーディオコンテンツに分離する。ビデオデコーダ１１３は、ＤＥＭＵＸ １１２により分離された圧縮ビデオコンテンツをデコーディングすることによって、圧縮前のビデオコンテンツに復元する。サブピクチャーデコーダ１１４は、ＤＥＭＵＸ １１２により分離された圧縮サブピクチャーコンテンツをデコーディングすることによって、圧縮前のサブピクチャーコンテンツに復元する。ミキサ１１５は、ビデオデコーダ１１３により復元されたビデオコンテンツとサブピクチャーデコーダ１１４により復元されたサブピクチャーコンテンツとを混合する。ビデオエンコーダ１１６は、ミキサ１１５により混合されたコンテンツをエンコーディングすることによって圧縮ビデオコンテンツを生成する。ＭＵＸ １１７は、ビデオエンコーダ１１６により生成された圧縮ビデオコンテンツとＤＥＭＵＸ １１２により分離された圧縮オーディオコンテンツとを合成する。伝送部１１８は、ＩＥＥＥ １３９４バス１３を経由してＤＴＶ １２にＭＵＸ １１７により合成された圧縮コンテンツを伝送する。
【０００６】
ＤＴＶ １２は、受信部１２１、ＤＥＭＵＸ １２２、ビデオデコーダ１２３、オーディオデコーダ１２４、及び出力部１２５で構成される。
【０００７】
受信部１２１は、ＩＥＥＥ １３９４バス１３を経由してＤＶＤ再生装置１１から圧縮コンテンツを受信する。ＤＥＭＵＸ １２２は、受信部１２１に受信された圧縮コンテンツを圧縮ビデオコンテンツ及び圧縮オーディオコンテンツに分離する。ビデオデコーダ１２３は、ＤＥＭＵＸ １２２により分離された圧縮ビデオコンテンツをデコーディングすることによって、圧縮前のビデオコンテンツに復元する。オーディオデコーダ１２４は、ＤＥＭＵＸ １２２により分離された圧縮オーディオコンテンツをデコーディングすることによって、圧縮前のオーディオコンテンツに復元する。出力部１２５は、ビデオデコーダ１２３により復元されたビデオコンテンツとオーディオデコーダ３２６により復元されたオーディオコンテンツとをユーザに出力する。
【０００８】
図１に示したように、従来の第１のコンテンツ送受信システムは、コンテンツの暗号化及び復号化を支援せず、コンテンツを無断に使用しようとする者からコンテンツを保護し難いという短所があった。また、従来の第１のコンテンツ送受信システムは、ＩＥＥＥ １３９４バス１３をはじめとして、ＤＶＤ再生装置１１とＤＴＶ １２とを連結するリンクの帯域幅の限界によって、ＤＶＤ再生装置１１は、デコーディングしたコンテンツを再びエンコーディングして伝送する。しかし、ＳＤ（Ｓｔａｎｄａｒｄ Ｄｅｆｉｎｉｔｉｏｎ）クラス以上のエンコーダを備えたＣＥ（Ｃｏｎｓｕｍｅｒ Ｅｌｅｃｔｒｏｎｉｃｓ）デバイスが全く無いので、従来の第１のコンテンツ送受信システムは、ほとんど実用可能性が無いという短所があった。
【０００９】
図２は、従来の第２のコンテンツ送受信システムを示す構成図である。
【００１０】
図２を参照すれば、従来の第２のコンテンツ送受信システムは、ＤＶＤ再生装置２１、ＤＴＶ ２２、及びＩＥＥＥ １３９４バス２３で構成される。
【００１１】
ＤＶＤ再生装置２１は、受信部２１１及び伝送部２１２で構成される。
【００１２】
受信部２１１は、ＤＶＤに記録されたデータを読み出すことによって圧縮コンテンツを受信する。伝送部２１２は、受信部２１１によって受信された圧縮コンテンツを、ＩＥＥＥ １３９４バス２３を経由して、ＤＴＶ ２２へ伝送する。
【００１３】
ＤＴＶ ２２は、受信部２２１、ＤＥＭＵＸ ２２２、ビデオデコーダ２２３、サブピクチャーデコーダ２２４、オーディオデコーダ２２５、ミキサ２２６、及び出力部２２７で構成される。
【００１４】
受信部２２１は、ＩＥＥＥ １３９４バス２３を経由して、ＤＶＤ再生装置２１から圧縮コンテンツを受信する。ＤＥＭＵＸ ２２２は、受信部２２１に受信された圧縮コンテンツを圧縮ビデオコンテンツ、圧縮サブピクチャーコンテンツ、及び圧縮オーディオコンテンツに分離する。
【００１５】
ビデオデコーダ２２３は、ＤＥＭＵＸ ２２２によって分離された圧縮ビデオコンテンツをデコーディングすることによって、圧縮前のビデオコンテンツに復元する。サブピクチャーデコーダ２２４は、ＤＥＭＵＸ ２２２により分離された圧縮サブピクチャーコンテンツをデコーディングすることによって、圧縮前のサブピクチャーコンテンツに復元する。オーディオデコーダ２２５は、ＤＥＭＵＸ ２２２により分離された圧縮オーディオコンテンツをデコーディングすることによって、圧縮前のオーディオコンテンツに復元する。
【００１６】
ミキサ２２６は、ビデオデコーダ２２３により復元されたビデオコンテンツとサブピクチャーデコーダ２２４により復元されたサブピクチャーコンテンツとを混合する。出力部２２７は、ミキサ２２６により混合されたコンテンツとオーディオデコーダ２２５により復元されたオーディオコンテンツとをユーザに出力する。
【００１７】
図２に示したように、従来の第２のコンテンツ送受信システムもコンテンツの暗号化及び復号化を支援せず、コンテンツを無断に使用しようとする者からコンテンツを保護し難いという短所があった。また、従来の第２のコンテンツ送受信システムで、コンテンツの暗号化及び復号化、ＩＥＥＥ １３９４バス２３に対するリンク保護を講ずる場合にも、コンテンツ提供者によるコンテンツ保護管理は、リンク保護処理までしかできないので、ＤＴＶ ２２のようなコンテンツ出力装置をコンテンツ提供者の管理下に置くことができないという問題点があった。言い換えれば、コンテンツ提供者が、自身の提供したコンテンツが消滅するステップまでコンテンツ保護管理をできなかったため、完全なコンテンツ保護には至らないという問題点があった。
【特許文献１】米国特許第６，３４１，３７５号明細書
【発明の開示】
【発明が解決しようとする課題】
【００１８】
本発明が解決しようとする技術的課題は、ＤＶＤ再生装置、ＢＤ（Ｂｌｕ−ｒａｙ Ｄｉｓｋ）再生装置のような住宅内のコンテンツサーバ装置でのエンコーディング過程なしに、コンテンツの暗号化及び復号化を完壁に支援する装置及び方法を提供することである。また、本方法をコンピュータで実行させるためのプログラムを記録したコンピュータで読み取り可能な記録媒体を提供することである。
【課題を解決するための手段】
【００１９】
前記課題を解決するための本発明による第１のコンテンツサービス方法は、第１方式によって暗号化された圧縮コンテンツを復号化することによって、暗号化前の圧縮コンテンツに復元するステップと、前記復元された圧縮コンテンツを第２方式によって暗号化するステップと、所定のリンクを経由して前記暗号化された圧縮コンテンツを伝送するステップと、を含む。
【００２０】
前記課題を解決するための本発明による第１サーバは、第１方式によって暗号化された圧縮コンテンツを復号化することによって、暗号化前の圧縮コンテンツに復元する復号化部と、前記復号化部により復元された圧縮コンテンツを第２方式によって暗号化する暗号化部と、所定のリンクを経由して前記暗号化部により暗号化された圧縮コンテンツを伝送する伝送部と、を備える。
【００２１】
前記他の課題を解決するために、本発明は、前述した第１のコンテンツサービス方法をコンピュータで実行させるためのプログラムを記録したコンピュータで読み取り可能な記録媒体を提供する。
【００２２】
前記課題を解決するための本発明による第１のコンテンツ出力方法は、所定のリンクを経由して暗号化された圧縮コンテンツを受信するステップと、前記受信された暗号化された圧縮コンテンツを復号化することによって、暗号化前の圧縮コンテンツに復元するステップと、前記復元された圧縮コンテンツをデコーディングすることによって、圧縮前のコンテンツに復元するステップと、前記復元されたコンテンツをユーザに出力するステップと、を含む。
【００２３】
前記課題を解決するための本発明による第１のコンテンツ出力装置は、所定のリンクを経由して暗号化された圧縮コンテンツを受信する受信部と、前記受信部に受信された暗号化された圧縮コンテンツを復号化することによって、暗号化前の圧縮コンテンツに復元する復号化部と、前記復号化部により復元された圧縮コンテンツをデコーディングすることによって、圧縮前のコンテンツに復元するデコーダと、前記デコーダにより復元されたコンテンツをユーザに出力する出力部と、を備える。
【００２４】
前記他の課題を解決するために、本発明は、前述した第１のコンテンツ出力方法をコンピュータで実行させるためのプログラムを記録したコンピュータで読み取り可能な記録媒体を提供する。
【００２５】
前記課題を解決するための本発明による第１のコンテンツ中継方法は、第１リンクを経由して暗号化された圧縮コンテンツを受信するステップと、前記受信された暗号化された圧縮コンテンツを復号化することによって、暗号化前の圧縮コンテンツに復元するステップと、前記復元された圧縮コンテンツをデコーディングすることによって、圧縮前のコンテンツに復元するステップと、前記復元されたコンテンツを暗号化するステップと、第２リンクを経由して前記暗号化されたコンテンツを伝送するステップと、を含む。
【００２６】
前記課題を解決するための本発明による第２のコンテンツ出力方法は、所定のリンクを経由して暗号化されたコンテンツを受信するステップと、前記受信された暗号化されたコンテンツを復号化することによって、暗号化前のコンテンツに復元するステップと、前記復元されたコンテンツをユーザに出力するステップと、を含む。
【００２７】
前記課題を解決するための本発明による第２のコンテンツサービス方法は、第１方式によって暗号化された圧縮コンテンツを、第２方式によって二重暗号化するステップと、所定の経路を経由して前記二重暗号化された圧縮コンテンツを伝送するステップと、を含む。
【００２８】
前記課題を解決するための本発明による第２サーバは、第１方式によって暗号化された圧縮コンテンツを、第２方式によって二重暗号化する暗号化部と、所定の経路を経由して、前記暗号化部により二重暗号化された圧縮コンテンツを伝送する伝送部と、を備える。
【００２９】
前記他の課題を解決するために、本発明は、前述した第２のコンテンツサービス方法をコンピュータで実行させるためのプログラムを記録したコンピュータで読み取り可能な記録媒体を提供する。
【００３０】
前記課題を解決するための本発明による第３のコンテンツ出力方法は、所定のリンクを経由して二重暗号化された圧縮コンテンツを受信するステップと、前記受信された二重暗号化された圧縮コンテンツを第１方式によって復号化することによって、二重暗号化前の暗号化された圧縮コンテンツに復元するステップと、前記復元された暗号化された圧縮コンテンツを第２方式によって復号化することによって、暗号化前の圧縮コンテンツに復元するステップと、前記復元された圧縮コンテンツをデコーディングすることによって、圧縮前のコンテンツに復元するステップと、前記復元されたコンテンツをユーザに出力するステップと、を含む。
【００３１】
前記課題を解決するための本発明による第３のコンテンツ出力装置は、所定のリンクを経由して二重暗号化された圧縮コンテンツを受信する受信部と、前記受信部に受信された二重暗号化された圧縮コンテンツを第１方式によって復号化することによって、二重暗号化前の暗号化された圧縮コンテンツに復元する第１復号化部と、前記第１復号化部により復元された暗号化された圧縮コンテンツを第２方式によって復号化することによって、暗号化前の圧縮コンテンツに復元する第２復号化部と、前記第２復号化部により復元された圧縮コンテンツをデコーディングすることによって、圧縮前のコンテンツに復元するデコーダと、前記デコーダにより復元されたコンテンツをユーザに出力する出力部と、を備える。
【００３２】
前記他の課題を解決するために、本発明は、前述した記第３のコンテンツ出力方法をコンピュータで実行させるためのプログラムを記録したコンピュータで読み取り可能な記録媒体を提供する。
【００３３】
前記課題を解決するための本発明によるコンテンツ中継方法は、第１リンクを経由して二重暗号化された圧縮コンテンツを受信するステップと、前記受信された二重暗号化された圧縮コンテンツを第１方式によって復号化することによって、二重暗号化前の暗号化された圧縮コンテンツに復元するステップと、前記復元された暗号化された圧縮コンテンツを第２方式によって復号化することによって、暗号化前の圧縮コンテンツに復元するステップと、前記復元された圧縮コンテンツをデコーディングすることによって、圧縮前のコンテンツに復元するステップと、前記復元されたコンテンツを暗号化するステップと、第２リンクを経由して前記暗号化されたコンテンツを伝送するステップと、を含む。
【００３４】
前記他の課題を解決するために、本発明は、前述したマルチメディア再生方法をコンピュータで実行させるためのプログラムを記録したコンピュータで読み取り可能な記録媒体を提供する。
【発明の効果】
【００３５】
本発明によれば、ＤＶＤ再生装置、ＢＤ再生装置のような住宅内のコンテンツサーバ装置でのエンコーディング過程なしにコンテンツの暗号化及び復号化を完壁に支援することによって、ＳＤクラス以上のエンコーダを備えたＣＥデバイスが全く無い環境でコンテンツ保護を実現できる。
【００３６】
また、本発明によれば、サーバ装置でのエンコーディング過程が除去された結果、サーバの負担が減ることによって、一つのサーバが住宅内の数台のコンテンツ出力装置、例えば、ＤＴＶなどにコンテンツを提供できる。
【００３７】
また、本発明によれば、コンテンツに対する二重暗号化を支援することによって、さらに完全なコンテンツ保護を実現できる。
【００３８】
特に、本発明によれば、ＤＴＶのようなコンテンツ出力装置をコンテンツ提供者またはコンテンツ保護管理者の管理下に置くことによって、コンテンツ保護の領域をコンテンツ伝送の最終装置まで拡張でき、コンテンツ提供者またはコンテンツ保護管理者がコンテンツ消滅ステップまでさらに積極的に参加できる。
【発明を実施するための最良の形態】
【００３９】
以下では、図面を参照して本発明の望ましい実施形態を詳細に説明する。
【００４０】
図３は、本発明の望ましい一実施形態による第１のコンテンツ送受信システムを示す構成図である。
【００４１】
図３を参照すれば、本実施形態による第１のコンテンツ送受信システムは、サーバ３１、コンテンツ出力装置３２、及びリンク３３で構成される。サーバ３１及びコンテンツ出力装置３２は、住宅内に位置したＣＥデバイスまたはＰＣである。特に、サーバ３１は、ＣＥデバイスのうち、セットトップボックス、ＤＶＤプレイヤ、ＢＤプレイヤであり、コンテンツ出力装置３２は、ＣＥデバイスのうち、ＤＴＶである。本実施形態で、リンク３３は、有線媒体でも無線媒体でもある。
【００４２】
サーバ３１は、受信部３１１、復号化部３１２、暗号化部３１３、及び伝送部３１４で構成される。
【００４３】
受信部３１１は、遠隔地に位置したコンテンツ提供者からデータを受信する。コンテンツ提供者が遠隔地に位置した複数のデバイスにコンテンツを提供しようとする時、コンテンツ提供者からコンテンツに対する使用許可を受けていないデバイスが無断にコンテンツを使用することを防止するために、コンテンツを暗号化して伝送し、コンテンツのデータ量が大きい場合には、コンテンツ伝送を迅速かつ円滑にするためにコンテンツを圧縮して伝送する。
【００４４】
すなわち、受信部３１１は、前述のように暗号化され、圧縮されたコンテンツを受信する。このとき、受信部３１１は、コンテンツ提供者のコンテンツ提供方式によって、インターネットのようなネットワークを経由してコンテンツを受信することもあり、衛星通信を経由してコンテンツを受信することもあり、ＤＶＤに記録されたデータを読み出すことによってコンテンツを受信することもある。
【００４５】
復号化部３１２は、受信部３１１に受信されたデータのうち、第１方式によって暗号化された圧縮コンテンツを復号化することによって、暗号化前の圧縮コンテンツに復元する。ここで、第１方式とは、コンテンツ提供者により適用されたコンテンツ保護方式を称す。ＤＶＤに記録されたコンテンツを保護するために、現在ＣＰＰＭ（Ｃｏｎｔｅｎｔ Ｐｒｏｔｅｃｔｉｏｎ ｆｏｒ Ｐｒｅｒｅｃｏｒｄｅｄ Ｍｅｄｉａ）方式が適用されている。したがって、受信部３１１がＤＶＤに記録されたデータを読み出す場合であれば、受信部３１１に受信されたデータは、ＣＰＰＭ方式によって暗号化された圧縮コンテンツを含む。
【００４６】
この場合、復号化部３１２は、ＣＰＰＭ方式によって暗号化された圧縮コンテンツを復号化することによって、暗号化前の圧縮コンテンツに復元する。すなわち、復号化部３１２は、ＣＰＰＭ方式によって受信部３１１に受信されたデータのうち、メディアキーブロックとサーバ３１のデバイスＩＤとに基づいて、復号化キーを生成する。次いで、復号化部３１２は、生成された復号化キーを使用して、暗号化された圧縮コンテンツを復号化する。メディアキーブロックとデバイスＩＤとは、コンテンツ提供者またはコンテンツ保護管理者によりそれぞれのディスク及びそれぞれのデバイスに割り当てられる。
【００４７】
さらに詳細に説明すれば、復号化部３１２は、デバイスＩＤを使用してメディアキーブロックの記録を一つずつ順次に処理し、処理過程からメディアキーを得、これを使用して復号化キーを計算する。もし、サーバ３１がコンテンツ提供者またはコンテンツ保護管理者により廃棄されたデバイスであれば、サーバ３１のデバイスＩＤに対応するメディアキーブロックの記録は、コンテンツ提供者またはコンテンツ保護管理者により削除される。その結果、復号化部３１２は、メディアキーブロックの記録を全部処理したとしても、メディアキーを得られなくなる。
【００４８】
暗号化部３１３は、復号化部３１２により復元された圧縮コンテンツを第２方式によって暗号化する。ここで、第２方式とは、リンク３３を保護するために適用されたコンテンツ保護方式を称す。
【００４９】
本実施形態で、リンク３３は、ＩＥＥＥ １３９４バスとなる。ＩＥＥＥ １３９４バス２３は、ＩＥＥＥにより提案された高速直列バスに関する規格であって、コンピュータとその周辺デバイスとを連結するバスとして使われるだけでなく、最近では、ＣＥデバイスを連結する汎用的バスとしても使われている。これが本実施形態でＩＥＥＥ １３９４バスを採択した理由である。現在、ＩＥＥＥ １３９４バスを保護するために、ＤＴＣＰ（Ｄｉｇｉｔａｌ Ｔｒａｎｓｍｉｓｓｉｏｎ Ｃｏｎｔｅｎｔ Ｐｒｏｔｅｃｔｉｏｎ）方式が適用されている。
【００５０】
したがって、リンク３３がＩＥＥＥ １３９４バスである場合ならば、暗号化部３１３は、復号化部３１２により復元された圧縮コンテンツをＤＴＣＰ方式によって暗号化する。さらに詳細に説明すれば、暗号化部３１３は、コンテンツ出力装置３２を認証し、認証の結果、コンテンツ出力装置３２がコンテンツに対する使用権限のある正当なデバイスであると確認されれば、コンテンツ出力装置３２とコンテンツキーを交換し、このコンテンツキーを使用して、復号化部３１２により復元された圧縮コンテンツを暗号化する。
【００５１】
但し、当業者ならば、暗号化部３１３は、復号化部３１２により復元された圧縮コンテンツをＤＴＣＰ方式以外の他の方式によって暗号化できるということが分かる。例えば、暗号化部３１３は、復号化部３１２により復元された圧縮コンテンツをドメインキー管理方式によって暗号化することもある。ドメインキー管理方式とは、ドメインごとに固有のドメインキーを配分する方式であって、同じドメインに属するデバイスは、同じドメインキーを有する。暗号化部３１３は、復号化部３１２により復元された圧縮コンテンツを、このドメインキーを使用して暗号化する。通常、ドメインはホームネットワークを意味し、ドメインキー管理方式によれば、同じホーム内に存在するデバイスは、相互自由にコンテンツを共有できる。このようなドメインキー管理方式の代表的な例として、ＩＢＭ（登録商標）（Ｉｎｔｅｒｎａｔｉｏｎａｌ Ｂｕｓｉｎｅｓｓ Ｍａｃｈｉｎｅｓ）社製のｘＣＰ（ｅｘｔｅｎｓｉｂｌｅ Ｃｏｎｔｅｎｔ Ｐｒｏｔｅｃｔｉｏｎ）が挙げられる。
【００５２】
伝送部３１４は、リンク３３を経由して、暗号化部３１３により暗号化された圧縮コンテンツをコンテンツ出力装置３２に伝送する。本実施形態で、伝送部３１４は、図示されたコンテンツ出力装置３２以外に他の装置にも、暗号化部３１３により暗号化された圧縮コンテンツを伝送できる。本実施形態によれば、従来とは違って、サーバ３１で圧縮コンテンツに対するデコーディングを行えず、圧縮状態のまま伝送するため、サーバ３１の処理負担が軽減した。これにより、伝送部３１４は、色々なコンテンツ出力装置に暗号化された圧縮コンテンツを伝送できる。
【００５３】
例えば、複数の装置が一つのディスクで異なる場面を再生しようとする場合、受信部３１１は、ディスクの異なる領域に記録された暗号化された圧縮コンテンツを読出し、復号化部３１２は、受信部３１１により読出された暗号化された圧縮コンテンツを復号化することによって、暗号化前の圧縮コンテンツに復元し、暗号化部３１３は、復号化部３１２により復元された圧縮コンテンツを暗号化し、伝送部３１４は、暗号化部３１３により暗号化された圧縮コンテンツを伝送する。
【００５４】
リンク３３がＩＥＥＥ １３９４バスである場合ならば、伝送部２１６は、ＩＥＥＥ １３９４バスを経由してＤＴＣＰ方式によって暗号化された圧縮コンテンツを伝送する。このとき、伝送部２１６は、ＩＥＥＥ １３９４バス２３を通じた伝送規格に一致する形式の暗号化された圧縮コンテンツを伝送する。
【００５５】
コンテンツ出力装置３２は、受信部３２１、復号化部３２２、ＤＥＭＵＸ ３２３、ビデオデコーダ３２４、サブピクチャーデコーダ３２５、オーディオデコーダ３２６、ミキサ３２７、及び出力部３２８で構成される。
【００５６】
受信部３２１は、リンク３３を経由してサーバ３１から暗号化された圧縮コンテンツを受信する。リンク３３がＩＥＥＥ １３９４バスである場合ならば、受信部３２１は、ＩＥＥＥ １３９４バスを経由して、ＤＴＣＰ方式によって暗号化された圧縮コンテンツを受信する。このとき、受信部３２１は、ＩＥＥＥ １３９４バス２３を通じた伝送規格に一致する形式の暗号化された圧縮コンテンツを受信する。
【００５７】
復号化部３２２は、受信部３２１に受信された暗号化された圧縮コンテンツを、リンク３３を保護するために適用されたコンテンツ保護方式によって復号化することによって、暗号化前の圧縮コンテンツに復元する。リンク３３がＩＥＥＥ １３９４バスである場合ならば、復号化部３２２は、受信部３２１に受信された暗号化された圧縮コンテンツをＤＴＣＰ方式によって復号化する。さらに詳細に説明すれば、復号化部３２２は、ＤＴＣＰ方式によってサーバ３１との間で既に交換されたコンテンツキーを使用して、暗号化された圧縮コンテンツを復号化する。
【００５８】
ＤＥＭＵＸ ３２３は、復号化部３２２により復元された圧縮コンテンツを圧縮ビデオコンテンツ、圧縮サブピクチャーコンテンツ、及び圧縮オーディオコンテンツに分離する。ここで、サブピクチャーコンテンツとは、字幕、ＥＰＧ（Ｅｌｅｃｔｒｏｎｉｃ Ｐｒｏｇｒａｍ Ｇｕｉｄｅ）などビデオ画面上に表示されるサブピクチャーに関するコンテンツである。
【００５９】
ビデオデコーダ３２４は、ＤＥＭＵＸ３２３により分離された圧縮ビデオコンテンツをデコーディングすることによって、圧縮前のビデオコンテンツに復元する。ＤＥＭＵＸ ３２３により分離された圧縮ビデオコンテンツがＭＰＥＧ（Ｍｏｖｉｎｇ Ｐｉｃｔｕｒｅ Ｅｘｐｅｒｔｓ Ｇｒｏｕｐ）２方式で圧縮されたビデオコンテンツならば、ビデオデコーダ３２４は、ＭＰＥＧ２方式でデコーディングする。
【００６０】
サブピクチャーデコーダ３２５は、ＤＥＭＵＸ ３２３により分離された圧縮サブピクチャーコンテンツをデコーディングすることによって、圧縮前のサブピクチャーコンテンツに復元する。ＤＥＭＵＸ ３２３により分離された圧縮サブピクチャーコンテンツがＪＰＥＧ（Ｊｏｉｎｔ Ｐｈｏｔｏｇｒａｐｈｉｃ Ｅｘｐｅｒｔ Ｇｒｏｕｐ）方式で圧縮されたサブピクチャーコンテンツならば、サブピクチャーデコーダ３２５は、ＪＰＥＧ方式でデコーディングする。
【００６１】
オーディオデコーダ３２６は、ＤＥＭＵＸ３２３により分離された圧縮オーディオコンテンツをデコーディングすることによって、圧縮前のオーディオコンテンツに復元する。ＤＥＭＵＸ ３２３により分離された圧縮オーディオコンテンツがＭＰ３（ＭＰＥＧｌａｙｅｒ ３）方式で圧縮されたオーディオコンテンツならば、オーディオデコーダ３２６は、ＭＰ３方式でデコーディングする。
【００６２】
ミキサ３２７は、ビデオデコーダ３２４により復元されたビデオコンテンツとサブピクチャーコンテンツ３２５により復元されたサブピクチャーコンテンツとを混合する。
【００６３】
出力部３２８は、ミキサ３２７により混合されたコンテンツとオーディオデコーダ３２６により復元されたオーディオコンテンツとをユーザに出力する。すなわち、出力部３２８は、ミキサ３２７により混合されたコンテンツをディスプレイパネルに出力し、オーディオデコーダ３２６により復元されたオーディオコンテンツをスピーカに出力する。
【００６４】
図４は、本発明の望ましい一実施形態による第２のコンテンツ送受信システム示す構成図である。
【００６５】
図４を参照すれば、本実施形態による第２のコンテンツ送受信システムは、サーバ４１、コンテンツ中継装置４２、コンテンツ出力装置４３、第１リンク４４、及び第２リンク４５で構成される。サーバ４１及びコンテンツ出力装置４３は、住宅内に位置したＣＥデバイスまたはＰＣである。特に、サーバ４１は、ＣＥデバイスのうち、セットトップボックス、ＤＶＤプレイヤ、ＢＤプレイヤであり、コンテンツ出力装置４３は、ＣＥデバイスのうち、ＤＴＶである。本実施形態で、第１リンク４４及び第２リンク４５は、有線媒体でも無線媒体でもある。
【００６６】
サーバ４１は、受信部４１１、復号化部４１２、暗号化部４１３、及び伝送部４１４で構成される。
【００６７】
本実施形態による第２のコンテンツ送受信システムでのサーバ４１は、図３に示した第１のコンテンツ送受信システムでのサーバ３１と同じである。したがって、受信部４１１、復号化部４１２、暗号化部４１３、及び伝送部４１４についての説明は、受信部３１１、復号化部３１２、暗号化部３１３、及び伝送部３１４についての説明で代替する。
【００６８】
コンテンツ中継装置３２は、受信部４２１、復号化部４２２、ＤＥＭＵＸ ４２３、ビデオデコーダ４２４、サブピクチャーデコーダ４２５、オーディオデコーダ４２６、ミキサ４２７、暗号化部４２８、及び伝送部４２９で構成される。
【００６９】
本実施形態による第２のコンテンツ送受信システムでのコンテンツ中継装置４２の構成要素のうち、受信部４２１、復号化部４２２、ＤＥＭＵＸ ４２３、ビデオデコーダ４２４、サブピクチャーデコーダ４２５、オーディオデコーダ４２６、及びミキサ４２７は、図３に示した第１のコンテンツ送受信システムでのコンテンツ出力装置３２の受信部３２１、復号化部３２２、ＤＥＭＵＸ ３２３、ビデオデコーダ３２４、サブピクチャーデコーダ３２５、オーディオデコーダ３２６、及びミキサ３２７と同じである。したがって、受信部４２１、復号化部４２２、ＤＥＭＵＸ ４２３、ビデオデコーダ４２４、サブピクチャーデコーダ４２５、オーディオデコーダ４２６、及びミキサ４２７についての説明は、受信部３２１、復号化部３２２、ＤＥＭＵＸ ３２３、ビデオデコーダ３２４、サブピクチャーデコーダ３２５、オーディオデコーダ３２６、及びミキサ３２７についての説明で代替する。
【００７０】
暗号化部４２８は、ミキサ４２７により混合されたコンテンツとオーディオデコーダ３２６により復元されたオーディオコンテンツとを第３方式によって暗号化する。ここで、第３方式とは、第２リンク４５を保護するために適用されたコンテンツ保護方式を称す。
【００７１】
本実施形態で、第１リンク４４は、ＩＥＥＥ １３９４バスである一方、第２リンク４５は、ＤＶＩ（Ｄｉｇｉｔａｌ Ｖｉｓｕａｌ Ｉｎｔｅｒｆａｃｅ）である。ＤＶＩは、ＤＤＷＧ（Ｄｉｇｉｔａｌ Ｄｉｓｐｌａｙ Ｗｏｒｋｉｎｇ Ｇｒｏｕｐ）という団体で制定した規格であって、コンテンツ出力装置から出力デバイスまでデジタル信号を直接伝送するための方案として開発された。これが、本実施形態でＤＶＩを第２リンク４５として採択した理由である。現在、ＤＶＩを保護するために、ＨＤＣＰ（Ｈｉｇｈ−ｂａｎｄｗｉｄｔｈ Ｄｉｇｉｔａｌ Ｃｏｎｔｅｎｔ Ｐｒｏｔｅｃｔｉｏｎ）方式が適用されている。
【００７２】
したがって、第２リンク４５がＤＶＩである場合ならば、暗号化部４２８は、ミキサ４２７により混合されたコンテンツとオーディオデコーダ３２６により復元されたオーディオコンテンツとをＨＤＣＰ方式によって暗号化する。さらに詳細に説明すれば、暗号化部４２８は、コンテンツ出力装置４３を認証し、認証の結果、コンテンツ出力装置４３がコンテンツに対する使用権限のある正当なデバイスであると確認されれば、コンテンツ出力装置４３とコンテンツキーを交換し、ビット単位でこのコンテンツキーを使用して、ミキサ４２７により混合されたコンテンツとオーディオデコーダ３２６により復元されたオーディオコンテンツとを暗号化する。ＨＤＣＰ方式によれば、ビット単位でコンテンツが保護されるため、復号化なしに暗号化されたコンテンツを出力すれば、ノイズと見られるだけである。
【００７３】
伝送部４２９は、第２リンク４５を経由して、暗号化部４２８により暗号化されたコンテンツをコンテンツ出力装置４３に伝送する。本実施形態で、伝送部４２９は、ＤＶＩを経由してＨＤＣＰ方式で暗号化されたコンテンツを伝送する。このとき、伝送部４２９は、ＤＶＩを通じた伝送規格に一致する形式の暗号化されたコンテンツを伝送する。
コンテンツ出力装置４３は、受信部４３１、復号化部４３２、及び出力部４３３で構成される。
【００７４】
受信部４３１は、第２リンク４５を経由してコンテンツ中継装置４２から暗号化されたコンテンツを受信する。第２リンク４５がＤＶＩである場合ならば、受信部３２１は、ＤＶＩを経由してＨＤＣＰ方式で暗号化された圧縮コンテンツを伝送する。このとき、受信部４３１は、ＤＶＩを通じた伝送規格に一致する形式の暗号化されたコンテンツを受信する。
【００７５】
復号化部４３２は、受信部４３１に受信された暗号化されたコンテンツを、第２リンク４５を保護するために適用されたコンテンツ保護方式によって復号化することによって、暗号化前のコンテンツに復元する。第２リンク４５がＤＶＩである場合ならば、復号化部４３２は、受信部４３１に受信された暗号化されたコンテンツを、ＨＤＣＰ方式によって復号化する。さらに詳細に説明すれば、復号化部４３２は、ＨＤＣＰ方式によってコンテンツ中継装置４２との間で既に交換されたコンテンツキーを使用して、暗号化されたコンテンツを復号化する。
【００７６】
出力部４３３は、復号化部４３２により復号化されたコンテンツをユーザに出力する。すなわち、出力部４３３は、復号化部４３２により復号化されたコンテンツのうち、ミキサ４２７により混合されたコンテンツに該当するコンテンツは、ディスプレイパネルに出力し、オーディオデコーダ４２６により復元されたオーディオコンテンツに該当するコンテンツは、スピーカに出力する。
【００７７】
図５は、本発明の望ましい一実施形態による第３のコンテンツ送受信システムを示す構成図である。
【００７８】
図５を参照すれば、本実施形態による第３のコンテンツ送受信システムは、サーバ５１、コンテンツ出力装置５２、及びリンク５３で構成される。サーバ５１及びコンテンツ出力装置５２は、住宅内に位置したＣＥデバイスまたはＰＣである。特に、サーバ３１は、ＣＥデバイスのうち、セットトップボックス、ＤＶＤプレイヤ、ＢＤプレイヤであり、コンテンツ出力装置３２は、ＣＥデバイスのうち、ＤＴＶである。本実施形態で、リンク５３は、有線媒体か、または無線媒体である。
【００７９】
サーバ５１は、受信部５１１、キー情報抽出部５１２、暗号化部５１３、及び伝送部５１４で構成される。
【００８０】
受信部５１１は、遠隔地に位置したコンテンツ提供者からデータを受信する。前述したように、受信部５１１は、第１方式によって暗号化され、かつ圧縮されたコンテンツを受信する。ここで、第１方式とは、コンテンツ提供者により適用されたコンテンツ保護方式を称す。受信部５１１がＤＶＤに記録されたデータを読出した場合ならば、受信部５１１に受信されたデータは、ＣＰＰＭ方式によって暗号化された圧縮コンテンツを含む。
【００８１】
キー情報抽出部５１２は、受信部５１１に受信されたデータから復号化キーを生成するのに必要なキー情報を抽出する。受信部５１１に受信されたデータは、ＣＰＰＭ方式によって暗号化された圧縮コンテンツを含む場合ならば、キー情報は、メディアキーブロックとなる。
【００８２】
暗号化部５１３は、受信部５１１に受信されたデータのうち、暗号化された圧縮コンテンツ及びキー情報抽出部５１２により抽出されたキー情報を第２方式によって暗号化する。ここで、第２方式とは、リンク５３を保護するために適用されたコンテンツ保護方式を称す。特に、暗号化部５１３は、受信部５１１に受信された暗号化された圧縮コンテンツを二重暗号化することによって、さらに確実なコンテンツ保護を実現できる。
【００８３】
リンク５３がＩＥＥＥ １３９４バスである場合ならば、暗号化部５１３は、受信部５１１に受信された暗号化された圧縮コンテンツ及びキー情報抽出部５１２により抽出されたキー情報をＤＴＣＰ方式によって暗号化する。さらに詳細に説明すれば、暗号化部５１３は、コンテンツ出力装置５２を認証し、認証の結果、コンテンツ出力装置５２がコンテンツに対する使用権限のある正当なデバイスであると確認されれば、コンテンツ出力装置５２とコンテンツキーを交換し、このコンテンツキーを使用して、受信部５１１に受信された暗号化された圧縮コンテンツ及びキー情報抽出部５１２により抽出されたキー情報を暗号化する。
【００８４】
但し、当業者ならば、暗号化部５１３は、受信部５１１に受信された暗号化された圧縮コンテンツ及びキー情報抽出部５１２により抽出されたキー情報を、ＤＴＣＰ方式以外の他の方式によって暗号化できるということが分かる。例えば、暗号化部５１３は、受信部５１１に受信された暗号化された圧縮コンテンツ及びキー情報抽出部５１２により抽出されたキー情報をドメインキー管理方式によって暗号化することもある。
【００８５】
本実施形態で、暗号化部５１３は、二重暗号化された圧縮コンテンツ及び暗号化されたキー情報を受信するコンテンツ出力装置５２を認証し、この認証の結果に基づいて暗号化する。
【００８６】
図７は、本発明の望ましい一実施形態による認証方法を示すフローチャートである。
【００８７】
図７を参照すれば、本実施形態による認証方法は、次のようなステップで構成される。特に、本認証方法は、ＢＤについてのものである。ＢＤ規格によって、サーバ７とデバイス８とは、ＢＤフォーラムから提供するデバイスキーセットを有する。ＢＤには、更新キーブロック（ＲＫＢ：Ｒｅｎｅｗａｌ Ｋｅｙ Ｂｌｏｃｋ）という領域があり、廃棄されていない正当なデバイスは、自身のデバイスキーセットにＲＫＢの記録を一つずつ順次に処理し、処理過程からメディアキーＫｍを得る。
【００８８】
ステップ７１で、デバイス８は、乱数Ｄ＿Ｎｕｍｂｅｒを生成し、自身のデバイスＩＤ Ｄ＿ＩＤ及び生成された乱数Ｄ＿Ｎｕｍｂｅｒをサーバ７に伝送する。
【００８９】
ステップ７２で、サーバ７は、ステップ７１から伝送されたＤ＿ＩＤ及びＤ＿Ｎｕｍｂｅｒを受信すれば、乱数Ｓ＿Ｎｕｍｂｅｒを生成し、認証キーＡ＿Ｋｅｙを生成する。次いで、サーバ７は、前記のように得られたメディアキーＫｍに受信されたＤ＿Ｎｕｍｂｅｒ及び生成されたＡ＿Ｋｅｙを暗号化する。次いで、サーバ７は、ＲＫＢ、自身のサーバＩＤ Ｓ＿ＩＤ、生成された乱数Ｓ＿Ｎｕｍｂｅｒ、及び暗号化されたＤ＿Ｎｕｍｂｅｒ及びＡ＿Ｋｅｙを伝送する。図７に示したように、認証キーＡ＿Ｋｅｙは、ステップ７２で伝送されず、ステップ７４で伝送されることもある。後者の場合ならば、サーバ７は、ＲＫＢ、自身のサーバＩＤ Ｓ＿ＩＤ、生成された乱数Ｓ＿Ｎｕｍｂｅｒ、及び暗号化されたＤ＿Ｎｕｍｂｅｒを伝送する
【００９０】
ステップ７３で、デバイス８は、ステップ７２から伝送されたＲＫＢ、Ｓ＿ＩＤ、Ｓ＿Ｎｕｍｂｅｒ、及び暗号化されたＤ＿Ｎｕｍｂｅｒ及びＡ＿Ｋｅｙを受信すれば、受信されたＲＫＢからＫｍを得、このＫｍで暗号化されたＤ＿Ｎｕｍｂｅｒ及びＡ＿Ｋｅｙを復号化することによって、暗号化前のＤ＿Ｎｕｍｂｅｒ及びＡ＿Ｋｅｙに復元する。もし、認証キーＡ＿Ｋｅｙがステップ７２で伝送されず、ステップ７４で伝送される場合ならば、ステップ７３で、デバイス８は、ＲＫＢ、Ｓ＿ＩＤ、Ｓ＿Ｎｕｍｂｅｒ、及び暗号化されたＤ＿Ｎｕｍｂｅｒを受信する。このとき、デバイス８は、自身が伝送したＤ＿Ｎｕｍｂｅｒと復元されたＤ＿Ｎｕｍｂｅｒとが一致すれば、サーバ７が正当なデバイスであると確認する。このように、サーバ７が正当なデバイスであると確認されれば、デバイス８は、前記のように得られたメディアキーＫｍで受信されたＳ＿Ｎｕｍｂｅｒを暗号化し、暗号化されたＳ＿Ｎｕｍｂｅｒを伝送する。
【００９１】
ステップ７４で、サーバ７は、ステップ７３で伝送された暗号化されたＳ＿Ｎｕｍｂｅｒを受信し、メディアキーＫｍで暗号化されたＳ＿Ｎｕｍｂｅｒを復号化することによって、暗号化前のＳ＿Ｎｕｍｂｅｒに復元する。このとき、サーバ７は、自身が伝送したＳ＿Ｎｕｍｂｅｒと復元されたＳ＿Ｎｕｍｂｅｒとが一致すれば、デバイス８が正当なデバイスであると確認する。このように、デバイス８が正当なデバイスであると確認された場合において、認証キーＡ＿Ｋｅｙがステップ７２で伝送されていない場合ならば、サーバ７は、メディアキーＫｍでＡ＿Ｋｅｙを暗号化し、暗号化されたＡ＿Ｋｅｙを伝送する。
【００９２】
前記のような過程を通じて、サーバ７とデバイス８とは、互いに正当なデバイスであることを確認でき、認証キーＡ＿Ｋｅｙを共有する。本認証方法を、図５に示した暗号化部５１３に適用すれば、サーバ７は、サーバ５１となり、デバイス８は、コンテンツ出力装置５２となる。この場合、暗号化部５１３は、図７に示した認証過程を経て初めて、暗号化作業を行い、サーバ５１とコンテンツ出力装置５２とが共有する認証キーＡ＿Ｋｅｙは、暗号化キーとして使われる。
【００９３】
伝送部５１４は、リンク５３を経由して、暗号化部５１３により二重暗号化された圧縮コンテンツ及び暗号化されたキー情報をコンテンツ出力装置５２に伝送する。本実施形態で、伝送部５１４は、図示されたコンテンツ出力装置５２以外に他の装置にも、暗号化部５１３により二重暗号化された圧縮コンテンツ及び暗号化されたキー情報を伝送できる。本実施形態によれば、従来とは違って、サーバ５１で圧縮コンテンツに対するデコーディングを行わず、圧縮状態そのままで伝送するため、サーバ５１の処理負担が軽減した。これにより、伝送部５１４は、色々なコンテンツ出力装置に二重暗号化された圧縮コンテンツを伝送できる。
【００９４】
リンク５３がＩＥＥＥ １３９４バスである場合ならば、伝送部５１４は、ＩＥＥＥ １３９４バスを経由してＤＴＣＰ方式によって二重暗号化された圧縮コンテンツ及び暗号化されたキー情報を伝送する。このとき、伝送部５１４は、ＩＥＥＥ １３９４バス５３を通じた伝送規格に一致する形式の二重暗号化された圧縮コンテンツ及び暗号化されたキー情報を伝送する。
【００９５】
コンテンツ出力装置５２は、受信部５２１、第１復号化部５２２、第２復号化部５２３、ＤＥＭＵＸ ５２４、ビデオデコーダ ５２５、サブピクチャーデコーダ５２６、オーディオデコーダ５２７、ミキサ５２８、及び出力部５２９で構成される。
【００９６】
受信部５２１は、リンク５３を経由してサーバ５１から二重暗号化された圧縮コンテンツ及び暗号化されたキー情報を受信する。リンク５３がＩＥＥＥ １３９４バスである場合ならば、受信部５２１は、ＩＥＥＥ １３９４バスを経由してＤＴＣＰ方式によって二重暗号化された圧縮コンテンツ及び暗号化されたキー情報を受信する。このとき、受信部５２１は、ＩＥＥＥ １３９４バス２３を通じた伝送規格に一致する形式の二重暗号化された圧縮コンテンツ及び暗号化されたキー情報を受信する。
【００９７】
第１復号化部５２２は、受信部５２１に受信された二重暗号化された圧縮コンテンツ及び暗号化されたキー情報を第１方式によって復号化することによって、二重暗号化前の暗号化された圧縮コンテンツ及び暗号化前のキー情報に復元する。ここで、第１方式とは、リンク５３を保護するために適用されたコンテンツ保護方式を称す。リンク５３がＩＥＥＥ １３９４バスである場合ならば、第１復号化部５２２は、受信部５２１に受信された二重暗号化された圧縮コンテンツ及び暗号化されたキー情報をＤＴＣＰ方式によって復号化する。さらに詳細に説明すれば、第１復号化部５２２は、ＤＴＣＰ方式によってサーバ５１との間で既に交換されたコンテンツキーを使用して、二重暗号化された圧縮コンテンツ及び暗号化されたキー情報を復号化する。
【００９８】
第２復号化部５２３は、第１復号化部５２２により復元された暗号化された圧縮コンテンツを、第１復号化部５２２により復元されたキー情報に基づいて第２方式に従って復号化することによって、暗号化前の圧縮コンテンツに復元する。ここで、第２方式とは、コンテンツ提供者により適用されたコンテンツ保護方式を称す。第１復号化部５２２により復元された暗号化された圧縮コンテンツがＤＶＤに記録されたデータである場合、第１復号化部５２２により復元されたキー情報は、メディアキーブロックとなる。すなわち、第２復号化部５２３は、ＣＰＰＭ方式によって第１復号化部５２２により復元されたメディアキーブロックとコンテンツ出力装置５２のデバイスＩＤとに基づいて復号化キーを生成する。次いで、第２復号化部５２３は、生成された復号化キーを使用して、第１復号化部５２２により復元された暗号化された圧縮コンテンツを復号化する。
【００９９】
このように、コンテンツ出力装置５２のデバイスＩＤに基づいて復号化キーを生成することによって、ＤＴＶのようなコンテンツ出力装置５２をコンテンツ提供者またはコンテンツ保護管理者の管理下に置く。このようにして、コンテンツ保護の領域をコンテンツ伝送の最終装置であるコンテンツ出力装置５２まで拡張できる。
【０１００】
ＤＥＭＵＸ ５２４は、第２復号化部５２３により復元された圧縮コンテンツを圧縮ビデオコンテンツ、圧縮サブピクチャーコンテンツ、及び圧縮オーディオコンテンツに分離する。
【０１０１】
ビデオデコーダ５２５は、ＤＥＭＵＸ ５２４により分離された圧縮ビデオコンテンツをデコーディングすることによって、圧縮前のビデオコンテンツに復元する。ＤＥＭＵＸ ５２４により分離された圧縮ビデオコンテンツがＭＰＥＧ２方式で圧縮されたビデオコンテンツであれば、ビデオデコーダ５２５は、ＭＰＥＧ２方式でデコーディングする。
【０１０２】
サブピクチャーデコーダ５２６は、ＤＥＭＵＸ ５２４により分離された圧縮サブピクチャーコンテンツをデコーディングすることによって、圧縮前のサブピクチャーコンテンツに復元する。ＤＥＭＵＸ ５２４により分離された圧縮サブピクチャーコンテンツがＪＰＥＧ方式で圧縮されたサブピクチャーコンテンツであれば、サブピクチャーデコーダ５６４は、ＪＰＥＧ方式でデコーディングする。
【０１０３】
オーディオデコーダ５２７は、ＤＥＭＵＸ ５２４により分離された圧縮オーディオコンテンツをデコーディングすることによって、圧縮前のオーディオコンテンツに復元する。ＤＥＭＵＸ ５２４により分離された圧縮オーディオコンテンツがＭＰ３方式で圧縮されたオーディオコンテンツであれば、オーディオデコーダ５２７は、ＭＰ３方式でデコーディングする。
【０１０４】
ミキサ５２８は、ビデオデコーダ５２５により復元されたビデオコンテンツとサブピクチャーコンテンツ５２６により復元されたサブピクチャーコンテンツとを混合する。
【０１０５】
出力部５２９は、ミキサ５２８により混合されたコンテンツとオーディオデコーダ５２７により復元されたコンテンツとをユーザに出力する。すなわち、出力部５２９は、ミキサ５２８により混合されたコンテンツをディスプレイパネルに出力し、オーディオデコーダ５２７により復元されたオーディオコンテンツをスピーカに出力する。
【０１０６】
図６は、本発明の望ましい一実施形態による第４のコンテンツ送受信システムを示す構成図である。
【０１０７】
図６を参照すれば、本実施形態による第４のコンテンツ送受信システムは、サーバ６１、コンテンツ中継装置６２、コンテンツ出力装置６３、第１リンク６４、及び第２リンク６５で構成される。サーバ６１及びコンテンツ出力装置６３は、住宅内に位置したＣＥデバイスまたはＰＣとなる。特に、サーバ６１は、ＣＥデバイスのうち、セットトップボックス、ＤＶＤプレイヤ、ＢＤプレイヤとなり、コンテンツ出力装置６３は、ＣＥデバイスのうち、ＤＴＶとなる。本実施形態で、第１リンク６４及び第２リンク６５は、有線媒体か、または無線媒体である。
【０１０８】
サーバ６１は、受信部６１１、キー情報抽出部６１２、暗号化部６１３、及び伝送部６１４で構成される。
【０１０９】
本実施形態による第４のコンテンツ送受信システムでのサーバ６１は、図５に示した第３のコンテンツ送受信システムでのサーバ５１と同じである。したがって、受信部６１１、キー情報抽出部６１２、暗号化部６１３、及び伝送部６１４についての説明は、受信部５１１、キー情報抽出部５１２、暗号化部５１３、及び伝送部５１４についての説明に代替する。
【０１１０】
コンテンツ中継装置６２は、受信部６２１、第１復号化部６２２、第２復号化部６２３、ＤＥＭＵＸ ６２４、ビデオデコーダ６２５、サブピクチャーデコーダ６２６、オーディオデコーダ６２７、ミキサ６２８、暗号化部６２９、及び伝送部６３０で構成される。
【０１１１】
本実施形態による第４のコンテンツ送受信システムでのコンテンツ中継装置６２の構成要素のうち、受信部６２１、第１復号化部６２２、第２復号化部６２３、ＤＥＭＵＸ ６２４、ビデオデコーダ６２５、サブピクチャーデコーダ６２６、オーディオデコーダ６２７、及びミキサ６２８は、図５に示した第３のコンテンツ送受信システムでのコンテンツ出力装置５２の受信部５２１、第１復号化部５２２、第２復号化部５２３、ＤＥＭＵＸ ５２４、ビデオデコーダ５２５、サブピクチャーデコーダ５２６、オーディオデコーダ５２７、及びミキサ５２８と同じである。したがって、受信部６２１、第１復号化部６２２、第２復号化部６２３、ＤＥＭＵＸ ６２４、ビデオデコーダ６２５、サブピクチャーデコーダ６２６、オーディオデコーダ６２７、及びミキサ６２８についての説明は、受信部５２１、第１復号化部５２２、第２復号化部５２３、ＤＥＭＵＸ ５２４、ビデオデコーダ５２５、サブピクチャーデコーダ５２６、オーディオデコーダ５２７、及びミキサ５２８についての説明に代替する。
【０１１２】
暗号化部６２９は、ミキサ６２８により混合されたコンテンツとオーディオデコーダ５２７により復元されたオーディオコンテンツとを、第３方式によって暗号化する。ここで、第３方式とは、第２リンク６５を保護するために適用されたコンテンツ保護方式を称す。
【０１１３】
本実施形態で、第１リンク６４は、ＩＥＥＥ １３９４バスとなる一方、第２リンク６５は、ＤＶＩとなる。したがって、第２リンク６５がＤＶＩである場合ならば、暗号化部６２９は、ミキサ６２８により混合されたコンテンツとオーディオデコーダ６２７により復元されたオーディオコンテンツとをＨＤＣＰ方式によって暗号化する。
【０１１４】
さらに詳細に説明すれば、暗号化部６２９は、コンテンツ出力装置６３を認証し、認証の結果、コンテンツ出力装置６３がコンテンツに対する使用権限のある正当なデバイスであると確認されれば、コンテンツ出力装置６３とコンテンツキーを交換し、ビット単位としてこのコンテンツキーを使用して、ミキサ６２８により混合されたコンテンツ及びオーディオデコーダ６２７により復元されたオーディオコンテンツを暗号化する。ＨＤＣＰ方式によれば、ビット単位でコンテンツが保護されるため、復号化なしに暗号化されたコンテンツを出力すれば、ノイズと見られるだけである。
【０１１５】
伝送部６３０は、第２リンク６５を経由して暗号化部６２９により暗号化されたコンテンツをコンテンツ出力装置６３に伝送する。本実施形態で、伝送部６３０は、ＤＶＩを経由してＨＤＣＰ方式で暗号化されたコンテンツを伝送する。このとき、伝送部６３０は、ＤＶＩを通じた伝送規格に一致する形式の暗号化されたコンテンツを伝送する。
【０１１６】
コンテンツ出力装置６３は、受信部６３１、復号化部６３２、及び出力部６３３で構成される。
【０１１７】
受信部６３１は、第２リンク６５を経由してコンテンツ中継装置６２から暗号化されたコンテンツを受信する。第２リンク６５がＤＶＩである場合ならば、受信部６２１は、ＤＶＩを経由してＨＤＣＰ方式で暗号化された圧縮コンテンツを伝送する。このとき、受信部６３１は、ＤＶＩを通じた伝送規格に一致する形式の暗号化されたコンテンツを受信する。
【０１１８】
復号化部６３２は、受信部６３１に受信された暗号化されたコンテンツを、第２リンク６５を保護するために適用されたコンテンツ保護方式によって復号化することによって、暗号化前のコンテンツに復元する。第２リンク６５がＤＶＩである場合ならば、復号化部６３２は、受信部６３１に受信された暗号化されたコンテンツをＨＤＣＰ方式によって復号化する。さらに詳細に説明すれば、復号化部６３２は、ＨＤＣＰ方式によってコンテンツ中継装置６２との間で既に交換されたコンテンツキーを使用して、暗号化されたコンテンツを復号化する。
【０１１９】
出力部６３３は、復号化部６３２により復号化されたコンテンツをユーザに出力する。すなわち、出力部６３３は、復号化部３３２により復号化されたコンテンツのうち、ミキサ６２８により混合されたコンテンツに該当するコンテンツは、ディスプレイパネルに出力し、オーディオデコーダ６２７により復元されたオーディオコンテンツに該当するコンテンツは、スピーカに出力する。
【０１２０】
図８は、本発明の望ましい一実施形態による第１のコンテンツサービス方法を示すフローチャートである。
【０１２１】
図８を参照すれば、本実施形態による第１のコンテンツサービス方法は、次のようなステップで構成される。前記第１のコンテンツサービス方法は、図３に示したサーバ３１または図４に示したサーバ４１で時系列的に処理されるステップで構成される。したがって、以下省略された内容であっても、サーバ３１またはサーバ４１について前述した内容は、前記第１のコンテンツサービス方法にも適用される。
【０１２２】
ステップ８１で、サーバ３１またはサーバ４１は、遠隔地に位置したコンテンツ提供者からデータを受信する。このとき、サーバ３１またはサーバ４１は、コンテンツ提供者のコンテンツ提供方式によって、インターネットのようなネットワークを経由してコンテンツを受信することもあり、衛星通信を経由してコンテンツを受信することもあり、ＤＶＤに記録されたデータを読み出すことによってコンテンツを受信することもある。
【０１２３】
ステップ８２で、サーバ３１またはサーバ４１は、ステップ８１から受信されたデータのうち、第１方式によって暗号化された圧縮コンテンツを復号化することによって、暗号化前の圧縮コンテンツに復元する。ここで、第１方式とは、コンテンツ提供者により適用されたコンテンツ保護方式を称す。
【０１２４】
ステップ８３で、サーバ３１またはサーバ４１は、ステップ８２で復元された圧縮コンテンツを第２方式によって暗号化する。ここで、第２方式とは、リンク３３または第１リンク４４を保護するために適用されたコンテンツ保護方式を称す。
【０１２５】
ステップ８４で、サーバ３１またはサーバ４１は、リンク３３または第１リンク４４を経由してステップ８３で暗号化された圧縮コンテンツをコンテンツ出力装置３２に伝送する。このとき、サーバ３１またはサーバ４１は、図３に示したコンテンツ出力装置３２または図４に示したコンテンツ中継装置４２以外に他の装置にも、ステップ８３で暗号化された圧縮コンテンツを伝送できる。
【０１２６】
図９は、本発明の望ましい一実施形態による第１のコンテンツ出力方法を示すフローチャートである。
【０１２７】
図９を参照すれば、本実施形態による第１のコンテンツ出力方法は、次のようなステップで構成される。前記第１のコンテンツ出力方法は、図３に示したコンテンツ出力装置３２で時系列的に処理されるステップで構成される。したがって、以下省略された内容であっても、コンテンツ出力装置３２について前述した内容は、前記第１のコンテンツ出力方法にも適用される。
【０１２８】
ステップ９１で、コンテンツ出力装置３２は、リンク３３を経由してサーバ３１から暗号化された圧縮コンテンツを受信する。
【０１２９】
ステップ９２で、コンテンツ出力装置３２は、ステップ９１で受信された暗号化された圧縮コンテンツを、リンク３３を保護するために適用されたコンテンツ保護方式によって復号化することによって、暗号化前の圧縮コンテンツに復元する。
【０１３０】
ステップ９３で、コンテンツ出力装置３２は、ステップ９２で復元された圧縮コンテンツを圧縮ビデオコンテンツ、圧縮サブピクチャーコンテンツ、及び圧縮オーディオコンテンツに分離する。
【０１３１】
ステップ９４で、コンテンツ出力装置３２は、ステップ９３で分離された圧縮ビデオコンテンツをデコーディングすることによって、圧縮前のビデオコンテンツに復元し、ステップ９３で分離された圧縮サブピクチャーコンテンツをデコーディングすることによって、圧縮前のサブピクチャーコンテンツに復元し、ステップ９３で分離された圧縮オーディオコンテンツをデコーディングすることによって、圧縮前のオーディオコンテンツに復元する。
【０１３２】
ステップ９５で、コンテンツ出力装置３２は、ステップ９４で復元されたビデオコンテンツとステップ９４で復元されたサブピクチャーコンテンツとを混合する。
【０１３３】
ステップ９６で、コンテンツ出力装置３２は、ステップ９５で混合されたコンテンツ及びステップ９４で復元されたオーディオコンテンツをユーザに出力する。
【０１３４】
図１０は、本発明の望ましい一実施形態による第１のコンテンツ中継方法を示すフローチャートである。
【０１３５】
図１０を参照すれば、本実施形態による第１のコンテンツ中継方法は、次のようなステップで構成される。前記第１のコンテンツ中継方法は、図４に示したコンテンツ中継装置４２で時系列的に処理されるステップで構成される。したがって、以下省略された内容であっても、コンテンツ中継装置４２について前述した内容は、前記第１のコンテンツ中継方法にも適用される。
【０１３６】
ステップ１０１で、コンテンツ中継装置４２は、第１リンク４４を経由してサーバ４１から暗号化された圧縮コンテンツを受信する。
【０１３７】
ステップ１０２で、コンテンツ中継装置４２は、ステップ１０１から受信された暗号化された圧縮コンテンツを、第１リンク４４を保護するために適用されたコンテンツ保護方式によって復号化することによって、暗号化前の圧縮コンテンツに復元する。
【０１３８】
ステップ１０３で、コンテンツ中継装置４２は、ステップ１０２で復元された圧縮コンテンツを圧縮ビデオコンテンツ、圧縮サブピクチャーコンテンツ、及び圧縮オーディオコンテンツに分離する。
【０１３９】
ステップ１０４で、コンテンツ中継装置４２は、ステップ１０３で分離された圧縮ビデオコンテンツをデコーディングすることによって、圧縮前のビデオコンテンツに復元し、ステップ１０３で分離された圧縮サブピクチャーコンテンツをデコーディングすることによって、圧縮前のサブピクチャーコンテンツに復元し、ステップ１０３で分離された圧縮オーディオコンテンツをデコーディングすることによって、圧縮前のオーディオコンテンツに復元する。
【０１４０】
ステップ１０５で、コンテンツ中継装置４２は、ステップ１０４で復元されたビデオコンテンツとステップ９４で復元されたサブピクチャーコンテンツとを混合する。
【０１４１】
ステップ１０６で、コンテンツ中継装置４２は、ステップ１０５で混合されたコンテンツ及びステップ１０４で復元されたオーディオコンテンツを、第３方式によって暗号化する。ここで、第３方式とは、第２リンク４５を保護するために適用されたコンテンツ保護方式を称す。
【０１４２】
ステップ１０７で、コンテンツ中継装置４２は、第２リンク４５を経由してステップ１０６で暗号化されたコンテンツをコンテンツ出力装置４３に伝送する。
【０１４３】
図１１は、本発明の望ましい一実施形態による第２のコンテンツ出力方法を示すフローチャートである。
【０１４４】
図１１を参照すれば、本実施形態による第２のコンテンツ出力方法は、次のようなステップで構成される。前記第２のコンテンツ出力方法は、図４に示したコンテンツ出力装置４３または図６に示したコンテンツ出力装置６３で時系列的に処理されるステップで構成される。したがって、以下省略した内容であっても、コンテンツ出力装置４３またはコンテンツ出力装置６３について前述した内容は、前記第２のコンテンツ出力方法にも適用される。
【０１４５】
ステップ１１１で、コンテンツ出力装置４３またはコンテンツ出力装置６３は、第２リンク４５または第２リンク６５を経由してコンテンツ中継装置４２またはコンテンツ中継装置６２から暗号化されたコンテンツを受信する。
【０１４６】
ステップ１１２で、コンテンツ出力装置４３またはコンテンツ出力装置６３は、ステップ１１１で受信された暗号化されたコンテンツを第２リンク４５または第２リンク６５を保護するために適用されたコンテンツ保護方式によって復号化することによって、暗号化前のコンテンツに復元する。
【０１４７】
ステップ１１３で、コンテンツ出力装置４３またはコンテンツ出力装置６３は、ステップ１１２で復号化されたコンテンツをユーザに出力する。
【０１４８】
図１２は、本発明の望ましい一実施形態による第２のコンテンツサービス方法を示すフローチャートである。
【０１４９】
図１２を参照すれば、本実施形態による第２のコンテンツサービス方法は、次のようなステップで構成される。前記第２のコンテンツサービス方法は、図５に示したサーバ５１または図６に示したサーバ６１で時系列的に処理されるステップで構成される。したがって、以下省略された内容であっても、サーバ５１またはサーバ６１について前述した内容は、前記第２のコンテンツサービス方法にも適用される。
【０１５０】
ステップ１２１で、サーバ５１またはサーバ６１は、遠隔地に位置したコンテンツ提供者からデータを受信する。ステップ１２１で受信されたデータは、第１方式で暗号化された圧縮コンテンツ及びこの暗号化された圧縮コンテンツに対する復号化キーを生成するのに必要なキー情報を含んでいる。ここで、第１方式とは、コンテンツ提供者により適用されたコンテンツ保護方式を称す。
【０１５１】
ステップ１２２で、サーバ５１またはサーバ６１は、ステップ１２１で受信されたデータから復号化キーを生成するのに必要なキー情報を抽出する。
【０１５２】
ステップ１２３で、サーバ５１またはサーバ６１は、ステップ１２１で受信されたデータのうち、第１方式によって暗号化された圧縮コンテンツ及びステップ１２２で抽出されたキー情報を第２方式によって暗号化する。ここで、第２方式とは、リンク５３または第１リンク６４を保護するために適用されたコンテンツ保護方式を称す。このとき、サーバ５１またはサーバ６１は、二重暗号化された圧縮コンテンツ及び暗号化されたキー情報を受信するコンテンツ出力装置５２を認証し、この認証の結果に基づいて暗号化する。
【０１５３】
ステップ１２４で、サーバ５１またはサーバ６１は、リンク５３または第１リンク６４を経由して、ステップ１２３で二重暗号化された圧縮コンテンツ及び暗号化されたキー情報をコンテンツ出力装置５２またはコンテンツ出力装置６３に伝送する。このとき、サーバ５１またはサーバ６１は、図示されたコンテンツ出力装置５２またはコンテンツ出力装置６３以外に他の装置にもステップ１２３で二重暗号化された圧縮コンテンツ及び暗号化されたキー情報を伝送できる。
【０１５４】
図１３は、本発明の望ましい一実施形態による第３のコンテンツ出力方法を示すフローチャートである。
【０１５５】
図１３を参照すれば、本実施形態による第３のコンテンツ出力方法は、次のようなステップで構成される。前記第３のコンテンツ出力方法は、図５に示したコンテンツ出力装置５２で時系列的に処理されるステップで構成される。したがって、以下省略された内容であっても、コンテンツ出力装置５２について前述した内容は、前記第３のコンテンツ出力方法にも適用される。
【０１５６】
ステップ１３１で、コンテンツ出力装置５２は、リンク５３を経由してサーバ５１から二重暗号化された圧縮コンテンツ及び暗号化されたキー情報を受信する。
【０１５７】
ステップ１３２で、コンテンツ出力装置５２は、ステップ１３１で受信された二重暗号化された圧縮コンテンツ及び暗号化されたキー情報を第１方式によって復号化することによって、二重暗号化前の暗号化された圧縮コンテンツ及び暗号化前のキー情報に復元する。ここで、第１方式とは、リンク５３を保護するために適用されたコンテンツ保護方式を称す。
【０１５８】
ステップ１３３で、コンテンツ出力装置５２は、ステップ１３２で復元された暗号化された圧縮コンテンツを、ステップ１３２で復元されたキー情報に基づいて第２方式によって復号化することによって、暗号化前の圧縮コンテンツに復元する。ここで、第２方式とは、コンテンツ提供者により適用されたコンテンツ保護方式を称す。
【０１５９】
ステップ１３４で、コンテンツ出力装置５２は、ステップ１３３で復元された圧縮コンテンツを圧縮ビデオコンテンツ、圧縮サブピクチャーコンテンツ、及び圧縮オーディオコンテンツに分離する。
【０１６０】
ステップ１３５で、コンテンツ出力装置５２は、ステップ１３４で分離された圧縮ビデオコンテンツをデコーディングすることによって、圧縮前のビデオコンテンツに復元し、ステップ１３４で分離された圧縮サブピクチャーコンテンツをデコーディングすることによって、圧縮前のサブピクチャーコンテンツに復元し、ステップ１３４で分離された圧縮オーディオコンテンツをデコーディングすることによって、圧縮前のオーディオコンテンツに復元する。
【０１６１】
ステップ１３６で、コンテンツ出力装置５２は、ステップ１３５で復元されたビデオコンテンツとステップ１３５で復元されたサブピクチャーコンテンツとを混合する。
【０１６２】
ステップ１３７で、コンテンツ出力装置５２は、ステップ１３６で混合されたコンテンツとステップ１３５で復元されたオーディオコンテンツとをユーザに出力する。
【０１６３】
図１４は、本発明の望ましい一実施形態による第２のコンテンツ中継方法を示すフローチャートである。
【０１６４】
図１４を参照すれば、本実施形態による第２のコンテンツ中継方法は、次のようなステップで構成される。前記第２のコンテンツ中継方法は、図５に示したコンテンツ中継装置６２で時系列的に処理されるステップで構成される。したがって、以下省略された内容であっても、コンテンツ中継装置６２について前述した内容は、前記第２のコンテンツ中継方法にも適用される。
【０１６５】
ステップ１４１で、コンテンツ中継装置６２は、第１リンク６４を経由してサーバ６１から二重暗号化された圧縮コンテンツ及び暗号化されたキー情報を受信する。
【０１６６】
ステップ１４２で、コンテンツ中継装置６２は、ステップ１４１で受信された二重暗号化された圧縮コンテンツ及び暗号化されたキー情報を第１方式によって復号化することによって、二重暗号化前の暗号化された圧縮コンテンツ及び暗号化前のキー情報に復元する。ここで、第１方式とは、第１リンク６４を保護するために適用されたコンテンツ保護方式を称す。
【０１６７】
ステップ１４３で、コンテンツ中継装置６２は、ステップ１４２で復元された暗号化された圧縮コンテンツを、ステップ１４２で復元されたキー情報に基づいて第２方式によって復号化することによって、暗号化前の圧縮コンテンツに復元する。ここで、第２方式とは、コンテンツ提供者により適用されたコンテンツ保護方式を称す。
【０１６８】
ステップ１４４で、コンテンツ中継装置６２は、ステップ１４３で復元された圧縮コンテンツを圧縮ビデオコンテンツ、圧縮サブピクチャーコンテンツ、及び圧縮オーディオコンテンツに分離する。
【０１６９】
ステップ１４５で、コンテンツ中継装置６２は、ステップ１４４で分離された圧縮ビデオコンテンツをデコーディングすることによって、圧縮前のビデオコンテンツに復元し、ステップ１４４で分離された圧縮サブピクチャーコンテンツをデコーディングすることによって、圧縮前のサブピクチャーコンテンツに復元し、ステップ１４４で分離された圧縮オーディオコンテンツをデコーディングすることによって、圧縮前のオーディオコンテンツに復元する。
【０１７０】
ステップ１４６で、コンテンツ中継装置６２は、ステップ１４５で復元されたビデオコンテンツとステップ１４５で復元されたサブピクチャーコンテンツとを混合する。
【０１７１】
ステップ１４７で、コンテンツ中継装置６２は、ステップ１４６で混合されたコンテンツ及びステップ１４５で復元されたオーディオコンテンツを、第３方式によって暗号化する。ここで、第３方式とは、第２リンク６５を保護するために適用されたコンテンツ保護方式を称す。
【０１７２】
ステップ１４８で、コンテンツ中継装置６２は、第２リンク６５を経由してステップ１４７で暗号化されたコンテンツをコンテンツ出力装置６３に伝送する。
【０１７３】
一方、前述した本発明の実施形態は、コンピュータで実行できるプログラムとして作成可能であり、コンピュータで読み取り可能な記録媒体を利用して、前記プログラムを動作させる汎用デジタルコンピュータで具現される。
【０１７４】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【０１７５】
以上、本発明について、その望ましい実施形態を中心に説明した。当業者は、本発明が本発明の本質的な特性から外れない範囲で変形された形態で具現されることが分かるであろう。したがって、開示された実施形態は、限定的な観点ではなく、説明的な観点で考慮されねばならない。本発明の範囲は、前述した説明ではなく、特許請求の範囲に表れており、それと同等な範囲内にある全ての差異点は、本発明に含まれていると解釈されねばならない。
【産業上の利用可能性】
【０１７６】
本発明は、住宅内でのコンテンツを送受信に関わる技術分野に適用可能である。
【図面の簡単な説明】
【０１７７】
【図１】従来の第１のコンテンツ送受信システムを示す構成図である。
【図２】従来の第２のコンテンツ送受信システムを示す構成図である。
【図３】本発明の望ましい一実施形態による第１のコンテンツ送受信システムを示す構成図である。
【図４】本発明の望ましい一実施形態による第２のコンテンツ送受信システムを示す構成図である。
【図５】本発明の望ましい一実施形態による第３のコンテンツ送受信システを示す構成図である。
【図６】本発明の望ましい一実施形態による第３のコンテンツ送受信システムを示す構成図である。
【図７】本発明の望ましい一実施形態による認証方法を示すフローチャートである。
【図８】本発明の望ましい一実施形態による第１のコンテンツサービス方法を示すフロータートである。
【図９】本発明の望ましい一実施形態による第１のコンテンツ出力方法を示すフローチャートである。
【図１０】本発明の望ましい一実施形態による第１のコンテンツ中継方法を示すフローチャートである。
【図１１】本発明の望ましい一実施形態による第２のコンテンツ出力方法を示すフローチャートである。
【図１２】本発明の望ましい一実施形態による第２のコンテンツサービス方法を示すフローチャートである。
【図１３】本発明の望ましい一実施形態による第３のコンテンツ出力方法を示すフローチャートである。
【図１４】本発明の望ましい一実施形態による第２のコンテンツ中継方法を示すフローチャートである。
【符号の説明】
【０１７８】
３１  サーバ
３２  コンテンツ出力装置
３３  リンク
３１１，３２１  受信部
３１２，３２２  復号化部
３１３  暗号化部
３１４  伝送部
３２３  ＤＥＭＵＸ
３２４  ビデオデコーダ
３２５  サブピクチャーデコーダ
３２６  オーディオデコーダ
３２７  ミキサ
３２８  出力部
【図１】
2006067575.tif 000003
【図２】
2006067575.tif 000004
【図３】
2006067575.tif 000005
【図４】
2006067575.tif 000006
【図５】
2006067575.tif 000007
【図６】
2006067575.tif 000008
【図７】
2006067575.tif 000009
【図８】
2006067575.tif 000010
【図９】
2006067575.tif 000011
【図１０】
2006067575.tif 000012
【図１１】
2006067575.tif 000013
【図１２】
2006067575.tif 000014
【図１３】
2006067575.tif 000015
【図１４】
2006067575.tif 000016